(57)【要約】【課題】本発明は、試料の流動性及び異方性を簡便かつ迅速に評価することが可能な電子スピン共鳴（ＥＳＲ）測定用試料ホルダを提供することを目的とする。【解決手段】電子スピン共鳴（ＥＳＲ）測定用試料ホルダは、試料２が接着剤３により接着されている支持体１を有する。上記支持体１は、石英ガラス、ガラス、アクリル樹脂及び硬質樹脂からなる群より選択される非磁性材料を用いる。上記接着剤３は、シアノアクリレートを含有する。【選択図】図１
0003118044.tif 000002
【実用新案登録請求の範囲】
【請求項１】
試料が接着剤により接着されている支持体を有することを特徴とする電子スピン共鳴（ＥＳＲ）測定用試料ホルダ。
【請求項２】
前記支持体は、石英ガラス、ガラス、アクリル樹脂及び硬質樹脂からなる群より選択される非磁性材料を用いることを特徴とする請求項１に記載の電子スピン共鳴（ＥＳＲ）測定用試料ホルダ。
【請求項３】
前記接着剤は、シアノアクリレートを含有することを特徴とする請求項１又は２に記載の電子スピン共鳴（ＥＳＲ）測定用試料ホルダ。
【考案の詳細な説明】
【技術分野】
【０００１】
本考案は、電子スピン共鳴（ＥＳＲ）測定用試料ホルダに関する。
【背景技術】
【０００２】
電子スピン共鳴を測定する際には、通常、試料を電子スピン共鳴測定用試料管に入れた状態で、静磁場中に配置された空洞共振器内に挿入し、空洞共振器内にマイクロ波を照射する。このとき、静磁場中でゼーマン分裂したエネルギー準位間のエネルギー差に相当するマイクロ波を試料が共鳴吸収することにより、電子スピン共鳴が起こり、得られた電子スピン共鳴スペクトルから、試料の分析が行われている。
【０００３】
電子スピン共鳴用試料管としては、円筒状の試料管、ティッシュセル等が挙げられる。ティッシュセルは、試料を側方向から貼り付けることができ、粘性の高い試料の測定に用いられる。
【０００４】
一方、非特許文献１に、電子スピン共鳴を用いて、角層の脂質の流動性を評価する方法が開示されている。しかしながら、角層が貼り付けられた石英ガラス板（５ｍｍ×１５ｍｍ）を電子スピン共鳴用試料管に固定した後に、電子スピン共鳴を測定するため、必ずしも簡便かつ迅速な方法とは言えない。
【非特許文献１】Ｉｎｔｅｒｎａｔｉｏｎａｌ  Ｊｏｕｒｎａｌ  ｏｆ  Ｐｈａｒｍａｃｅｕｔｉｃｓ，１９７（２０００），１９３−２０２
【考案の開示】
【考案が解決しようとする課題】
【０００５】
本考案は、上記の従来技術が有する問題に鑑み、試料の流動性及び異方性を簡便かつ迅速に評価することが可能な電子スピン共鳴（ＥＳＲ）測定用試料ホルダを提供することを目的とする。
【課題を解決するための手段】
【０００６】
請求項１に記載の考案は、電子スピン共鳴（ＥＳＲ）測定用試料ホルダにおいて、試料が接着剤により接着されている支持体を有することを特徴とする。
【０００７】
請求項１に記載の考案によれば、試料が接着剤により接着されている支持体を有するので、試料の流動性及び異方性を簡便かつ迅速に評価することが可能な電子スピン共鳴（ＥＳＲ）測定用試料ホルダを提供することができる。
【０００８】
請求項２に記載の考案は、請求項１に記載の電子スピン共鳴（ＥＳＲ）測定用試料ホルダにおいて、石英ガラス、ガラス、アクリル樹脂及び硬質樹脂からなる群より選択される非磁性材料を用いることを特徴とする。
【０００９】
請求項２に記載の考案によれば、前記支持体は、石英ガラス、ガラス、アクリル樹脂及び硬質樹脂からなる群より選択される非磁性材料を用いるので、電子スピン共鳴の測定に影響を与えることなく、簡便に取り扱うことができる。
【００１０】
請求項３に記載の考案は、請求項１又は２に記載の電子スピン共鳴（ＥＳＲ）測定用試料ホルダにおいて、前記接着剤は、シアノアクリレートを含有することを特徴とする。
【００１１】
請求項３に記載の考案によれば、前記接着剤は、シアノアクリレートを含有するので、簡便かつ安定に試料を支持体に固定することができるため、電子スピン共鳴の測定精度を向上させることができる。
【考案の効果】
【００１２】
本考案によれば、試料の流動性及び異方性を簡便かつ迅速に評価することが可能な電子スピン共鳴（ＥＳＲ）測定用試料ホルダを提供することができる。
【考案を実施するための最良の形態】
【００１３】
次に、本考案を実施するための最良の形態を図面と共に説明する。
【００１４】
図１は、本考案の電子スピン共鳴（ＥＳＲ）測定用試料ホルダの一例を示す断面図であり、（ａ）は、正面図、（ｂ）は、側面図である。本電子スピン共鳴測定用試料ホルダは、支持体１上に試料２が接着剤３を用いて接着されており、支持体１は、押さえ金具４により、支持体固定部材５に着脱自在に固定されている。このため、試料２を非破壊的（非侵襲的）に支持体１上に固定することができる。また、電子スピン共鳴を測定する際に、磁場に対する試料２の設置方向を所定の方向に設定することができる。
【００１５】
支持体１は、石英ガラス、ガラス、アクリル樹脂及び硬質樹脂からなる群より選択される非磁性材料を用いることが好ましい。中でも、電子スピン共鳴を測定する際に、不純物からのバックグラウンド信号が発生しないように、石英ガラス等の高純度の非磁性材料を用いることが特に好ましい。また、支持体１の形状は、試料２を接着することができる形状であれば、特に限定されないが、平板状であることが好ましい。これにより、角層の脂質の流動性を電子スピン共鳴により評価する際に、試料２の方向が揃いやすくなり、測定精度を向上させることができる。また、支持体１の大きさは、電子スピン共鳴装置の空洞共振器内に挿入することができれば、特に限定されない。
【００１６】
試料２は、支持体１上に接着剤３を用いて接着することができるものであれば、特に限定されないが、角層の脂質等が挙げられる。
【００１７】
接着剤３は、電子スピン共鳴を測定する際に、バックグラウンド信号が発生しないことが好ましい。また、支持体１上に接着している試料２の量が少ないと、電子スピン共鳴の測定精度が低下することがあるため、接着剤３は、接着力が大きいことが好ましい。このような接着剤の具体例としては、シアノアクリレート系接着剤、ベンゾールガム系接着剤、エポキシ系接着剤、エマルジョン系接着剤等が挙げられる。中でも、電子スピン共鳴の測定精度を向上させることができることから、シアノアクリレート系接着剤が好ましい。
【００１８】
シアノアクリレートは、一般式
ＣＨ２＝Ｃ（ＣＮ）ＣＯＯＲ
で示され、一般に、瞬間接着剤として、用いられているが、水を触媒として重合するため、角層等の試料を生体から採取するために用いることができる。なお、上記一般式における官能基Ｒの具体例としては、メチル基、エチル基、２−メトキシエチル基、ｎ−ブチル基、ｎ−オクチル基等が挙げられる。
【００１９】
押さえ金具４は、支持体１を支持体固定部材５に着脱自在に固定することができるものであれば、形状、材質等は、特に限定されない。なお、図１では、押さえ金具４は、ネジ６を用いて、支持体固定部材５に固定されているが、他の手段を用いても構わない。
【００２０】
支持体固定部材５の形状は、電子スピン共鳴装置の空洞共振器内に試料２を固定することができる構造であれば、特に限定されない。また、支持体固定部材５の材質は、特に限定されないが、テフロン（登録商標）等の樹脂が挙げられる。
【００２１】
図１においては、支持体１を支持体固定部材５に着脱自在に固定する手段として、押さえ金具４を使用しているが、他の手段を用いてもよく、例えば、図２に示すように、押さえネジ７が挙げられる。押さえネジ７の材質は、特に限定されないが、テフロン（登録商標）、アクリル樹脂、硬質プラスチック、金属等が挙げられる。また、支持体１と押さえネジ７の間に、ゴム等の部材を設けて固定しても構わない。
【００２２】
なお、図２に示すように、電子スピン共鳴測定用試料ホルダには、電子スピン共鳴装置の空洞共振器内で、支持体１の位置がわかるように、目印８を設けても構わない。
【実施例】
【００２３】
７０ｍｍ×８ｍｍ×０．５ｍｍの石英ガラスからなる平板（支持体１）に、シアノアクリレート系の接着剤２として、アロンアルファＡ三共（三共製薬社製）を付着させたものを用いて、皮膚から角層（試料３）を採取した。次に、平板に接着した角層に、１．０ｍｇ／ｄｌの５−ドキシルステアリン酸（５−ＤＳＡ）水溶液を付着させ、３７℃で３０分間反応させた。これを非イオン水で洗浄した後、押さえ金具４、支持体固定部材５及びネジ６を用いて、電子スピン共鳴測定用試料ホルダ（図１参照）を作製した。
【００２４】
電子スピン共鳴測定用試料ホルダを、電子スピン共鳴装置ＪＥＳ−ＲＥＩＸ型（日本電子社製）の空洞共振器内に挿入し、中心磁場３３６ｍＴ、掃引幅１５ｍＴ、掃引時間８分、磁場変調幅０．２ｍＴ、時定数１秒、倍率１．２５×１０００、マイクロ波周波数９．４５ＧＨｚ、マイクロ波出力１０ｍＷの条件で、電子スピン共鳴を測定した。得られた電子スピン共鳴スペクトルを図３に示した。
【図面の簡単な説明】
【００２５】
【図１】本考案の電子スピン共鳴測定用試料ホルダの一例を示す断面図であり、（ａ）は、正面図、（ｂ）は、側面図である。
【図２】本考案の電子スピン共鳴測定用試料ホルダの他の例を示す断面図であり、（ａ）は、正面図、（ｂ）は、側面図である。
【図３】実施例で得られた電子スピン共鳴スペクトルを示す図である。
【符号の説明】
【００２６】
１    支持体
２    試料
３    接着剤
４    押さえ金具
５    ホルダ
６    ネジ
７    押さえネジ
８    目印
【図１】
0003118044.tif 000003
【図２】
0003118044.tif 000004
【図３】
0003118044.tif 000005